(57)【要約】      （修正有）【課題】電力などを用いず、灌漑用水の水圧のみを利用し人による管理以上の水管理を可能として常時一定の水位を保つのみではなく、気候に左右されず稲の栽培に最も適し間断灌漑による温暖水の確保と推量の維持確保と管理をする事を可能にする灌漑自動水深保持器を提供する。【解決手段】給水管本体５の給水口９を浮１の動きにより軌道１１を介して開閉版４が上下に動き、給水口９を開閉する動きを開閉版９に設けた板発条７と、浮の枠体１５に設けた操３かりの設定により一定の水深を確保しつつ、給水口９の開閉を早めたり遅くしたりすることにある。【選択図】図１
0003174387.tif 000002
【実用新案登録請求の範囲】
【請求項１】
給水管に連結される本体と本体の給水口を上下動により開閉する開閉版と給水口の開閉版の上下動の軌道と開閉版の上下動を操るしなる付勢の性質を持つ板バネ状の操部と枠体が対の浮に接続された構造で造られた「給水口の開閉の速度を調節することが可能である」ことを特徴とする自動水位保持器
【請求項２】
上記浮の重りは、重さを調節することが可能であることを特徴とする請求項１に記載の自動水位保持器
【請求項３】
浮の枠体の長さを調節することが可能である事を特徴とする請求項１に記載した自動水位保持器
【考案の詳細な説明】
【技術分野】
【０００１】  この発明は電力などを用いず、灌漑用水の水圧のみを利用し人による管理以上の水管理を可能として常時一定の水位を保つのみではなく、気候や稲の生育状況に応じた間断灌漑による水の保持と温暖水の確保などの管理が出来る事を可能にしようとする灌漑自動水位保持器に関するものである。
【背景技術】
【０００２】  従来の水田の灌漑管理は自動による灌漑の無人化を施したものがあり、該灌漑用器はフロートによる操り具で給水口を操作し、常に一定の水位を確保するものである。
例えば特開平７−２３７８０公報のごとくであり結果的に減水量を速補う恒常的に入水するもので維持管理だけの機能であった。
【先行技術文献】
【０００３】
【特許文献１】特開平７−２３７８０
【考案の概要】
【考案が解決しようとする課題】
【０００４】  これは次のような欠点があった。
電気的又は機械的による灌漑の方法は高価なうえ場所的条件もあり経営的にそぐわない。また、安価な自然を利用した方法では浮と閉塞部が連結した構造の為、浮の下降で給水口が開き一度満水の後は減水量を速補う作用が働き恒常的に入水するものであるため、稲の栽培上常に田面を露出させず、温暖水の維持確保が要求される条件下では使用不適である。本発明は以上のような欠点を無くすため成されたものである。
【課題を解決するための手段】
【０００５】    従来の灌漑装置に於いては安定した取水維持しつつも、水の減った量は恒常的に入水する構造上の欠点があった。
この欠点を無くしようとする本発明は給水管に連結される本体と本体の給水口を上下動により開閉する開閉版と給水口の開閉版の上下動の軌道と開閉版の上下動を操るしなる付勢の性質を持つ板バネ状の操部と枠体が浮に接続された構造で造られた給水口の開閉の速度を調節することが可能である事を特徴とする自動水位保持器を設けたことにある。
【考案の効果】
【０００６】  浮と給水管本体と開閉版に付勢手段と操りを施しただけの簡単な作りの自動水位保持器は、安価に製造できる経済的な効果と、取水口さえあれば如何なる場所でも浮の枠体を延長するだけで機能する使用場所にこだわらない効果と、使用にあたって取水管に給水管を差し込み田面に浮を浮かべ操を調節、設定するだけの簡単な取扱い効果が得られた。水位保持器による水管理は水田の水位が設定された水位より上昇すると浮が上昇し、浮に接続された枠体も上昇し、開閉版も軌道を上昇し操部のしなりにより開閉版はゆっくり上昇し、浮に接続された枠体も下降し開閉版の操部が付勢により勢い良く外れ開閉版は瞬時に下降し給水するこの一連の動きの操り返しにより、間断灌漑が可能となり留水効果が働き温暖水の確保が容易になった。また対の浮で給水管を挟む形態の効果で給水口の前面と下部が空間になり、給水口から流出する異物の回避ができるものである。
【図面の簡単な説明】
【０００７】
【図１】本発明の斜視図である
【図２】本発明の平面図である
【図３】本発明の分解３体図である
【図４】本発明の給水口全閉正面図である
【図５】本発明の給水口全開正面図である
【図６】本発明の開閉版である
【図７】本発明の板発条・開閉版側面図である
【図８】本発明の板発条が反った開閉版側面図である
【図９】本発明の浮の上昇時側面図である
【図１０】本発明の浮の下降時側面図である
【考案を実施するための形態】
【０００８】  本体（５）として体を成す給水管（５）は給水側が太く形成され給水口（９）の両縁に軌道（１１）と給水口（９）の開閉版（４）が閉じた状態で鉤（１３）の引っ掛かる部（６）を持ち、さらに水田の水深の変わる上、下巾以下になる巾の給水パイプの給水口（９）とで構成されたものである。また軌道（１１）に配置する開閉版（７）は付勢された重量造りであることと板発条（７）の鉤の手に鉤（１３）を設けた操（１２）と動力受けとなる操（１４）の構成からなるものである。
対の浮（１）に付勢手段の重り（２）を加えた浮（１）に軌道（１１）を支える板（１６）（１７）に設けた穴（２０）と入江（２１）を通し枠体（１５）を接続して設けた枠体（１５）は開閉版（４）を押し上げる操（３）と板発条（７）を押し反らせて鉤（１３）を外す固定解除版兼水深設定の操（１２）を設けたものである。
本発明は以上の構成からなるものである。水深は浮（１）の枠体（１５）の操（１２）と開閉版（７）の板発条の（１０）上部の距離を調節して設定すればよい。
【実施例】
【０００９】  取水管に本体給水管（５）を接続し水を給水状態にして水田に本体からなる浮（１）を置くと水量にともない浮（１）と枠体（１５）は共に上昇し操（３）によって開閉版（４）も軌道（１１）を上昇し直結した板発条（７）も一緒にすり上がり開閉版（４）は給水口（９）をゆっくり閉口し止水し板発条（７）は鉤（１３）で対面（６）に引っ掛かり開閉版（７）は固定状態となり減水と共に浮（１）の下降で枠体（１５）に設けた操（１２）が設定値まで板発条（７）の操（１０）を押し下げ反らせて鉤（１３）が外れ固定解除になり開閉版（７）が解放され自らの重量で軌道（１１）を瞬時に下降し給水口（９）が開き給水するものである水は設定以上入らず設定いかにもならず長時間に及ぶ止水の後に給水する間断灌漑が可能な自動水位保持器である。
【符号の説明】
【００１０】１、      浮
２、      鐘
３、      水深決定具兼開閉版押上用の操
４、      開閉版
５、      給水管本体
６、      鉤の引っ掛かり部
７、      板発条
８、      開閉版の開口部
９、      給水パイプの給水口
１０、    板発条の操部
１１、    軌道
１２、    固定解除版兼水深決定具の操
１３、    鉤
１４、    開閉版の操り
１５、    浮の枠体
１６、    軌道の下部の固定版で浮の枠体が円の刳り貫きを貫通によって安定した形態を保つためのベース版
１７、    軌道の上部の固定版で浮の枠体が板の橋の入り江を通ることによって安定した形態を保つためのベース版
１８、    対の浮を繋ぐ枠体
１９、    開閉版の横振れ防止具
２０、    穴
２１、    入り江
２２、    開閉板止
２３、    取水パイプと給水パイプの接点の固定締付ボルト
２４、    口径閉塞版の固定ボルト
２５、    給水パイプ口径閉塞版
【図１】
0003174387.tif 000003
【図２】
0003174387.tif 000004
【図３】
0003174387.tif 000005
【図４】
0003174387.tif 000006
【図５】
0003174387.tif 000007
【図６】
0003174387.tif 000008
【図７】
0003174387.tif 000009
【図８】
0003174387.tif 000010
【図９】
0003174387.tif 000011
【図１０】
0003174387.tif 000012
【手続補正書】
【提出日】平成23年12月19日(2011.12.19)
【手続補正１】
【補正対象書類名】実用新案登録請求の範囲
【補正対象項目名】全文
【補正方法】変更
【補正の内容】
【実用新案登録請求の範囲】
【請求項１】
水田の給水管に連結され、給水口と給水口の上部に給水口の開閉板を固定する鉤を有する本体と、本体給水口を開閉し、その左右と上部に操を有し、該上部の操はしなる性質の板発条状である重量造りの開閉板と、該開閉板を囲み該開閉板の左右の操と重りを付した対の浮に接続される、左右に水深決定具兼開閉板押し上げ用の操と上部に水深決定具兼開閉板の固定解除板を有する、水田の水深と共に上下動する浮の動きに連動し上下動する枠体とで構成されたことを特徴とした水田の自動水深保持器。
【請求項２】
上記浮の重りは、重さを調節することが可能であることを特徴とする請求項１に記載の自動水深保持器。
【請求項３】
上記枠体の長さを調節することが可能であることを特徴とする請求項１に記載した自動水深保持器。
【手続補正２】
【補正対象書類名】明細書
【補正対象項目名】全文
【補正方法】変更
【補正の内容】
【考案の詳細な説明】
【技術分野】
【０００１】この発明は電力などを用いず、灌漑用水の水圧のみを利用し人による水田の水管理以上の水管理をして常時一定の水位を保つのみでなく、気候に左右されず稲の栽培に最も適した間断灌漑による温暖水の確保と水量の維持確保と管理をする灌漑自動水深保持器に関するものである。
【背景技術】
【０００２】  ●  従来の水田の灌漑管理は自動による灌漑の無人化を施したものがあり、該灌漑用器はフロートによる操り具で給水口を操作し、常に一定の水位を確保するものである。例えば特開平７−２３７８０公報のごとくであり結果的に減水量を速補う恒常的に入水するもので維持管理だけの機能であった。
【先行技術文献】
【０００３】
【特許文献１】特開平７−２３７８０
【考案の概要】
【考案が解決しようとする課題】
【０００４】これは次のような欠点があつた。電気的又機械的による灌漑の方法は高価なうえ場所的条件もあり経営的にもそぐわない。又安価な自然を利用した方法では浮と閉塞部が連結した構造の為、水田の水量の減少に伴なった浮の下降に伴い給水口を閉塞している開閉板が動き速給水口が開き入水するため満水の後は、減水量を速補う作用が働き恒常的に入水する冷水効果になるため、稲の栽培上、常に田面を露出させず、温暖水を保ち維持確保が要求される条件下では使用不適である。本発明は以上のような欠点を無くするため成されたものである。
【課題を解決するための手段】
【０００５】  本考案の灌漑自動水深保持器は、水田の給水管（５）に連結され、給水口（９）と給水口の上部に給水口の開閉板（４）を固定する鉤（１３）を有する本体と、本体給水口を開閉し、その左右と上部に操を有し、該上部の操はしなる性質の板発条状（７）である重量造りの開閉板（４）と、該開閉板を囲み該開閉板の左右の操（１４）と重り（２）を付した対の浮（１）に接続される、左右に水深決定具兼開閉板押し上げ用の操（３）と上部に水深決定具兼開閉板の固定解除板（１２）を有する、水田の水深と共に上下動する浮の動きに連動し上下動する枠体とで構成されたことを特徴としたものである。  上記浮の重りの重さと枠体の長さは、調節することが可能である。
【考案の効果】
【０００６】簡単な作りの灌漑自動水深保持器は、安価に製造できる経済的な効果と取水口に本体給水口を接続出来る所で有れば如何なる場所でも浮と錘の枠体の立ち上がり部を延長するだけで機能する。使用は取水口に本体給水管を差し込み、枠体で接続した対の浮と錘を水田に浮かべ枠体の左右の水深決定具兼開閉板押上用の操と上部の固定解除板兼水深決定具の操で水深と固定解除値を設定すれば水田の水量の減少に伴い対の浮と錘が決められた水深まで下降すると枠体上部の操が給水口を固定閉塞中の開閉板の板発条の操を押し板発条をしならせ鉤を外しと、開閉板は固定解除になり開閉板は本体軌道の間を自らの付勢された重量で瞬時に下降し給水口が瞬時に開口になり給水する、給水による増水に伴い開閉板の左右の操部と対の浮と錘の枠体の操が重なり開閉板を押し上げながら上昇する、上昇に伴い開閉板と同体の板発条もしなりながら対面給水口をすり上がり決められた水量に達すると開閉板で給水口が閉口になった止水状態で給水口上部の鉤の引っ掛かり部に板発条の鉤が引っ掛かり開閉板は固定され、固定解除まで止水は継続する。減水に伴い浮と錘だけが下降するこの一連の動きの繰り返しにより、水は常時入水する事無く間断灌漑ができ止水効果が働き温暖水の確保ができる。また対の浮と錘を連結した枠体で本体給水管を挟む形態の効果で給水口の前面と下部が空間になり給水口からの流水の混入物の回避ができる。
【図面の簡単な説明】
【０００７】
【図１】本発明の斜視図である
【図２】本発明の平面図である
【図３】本発明の分解３体図である
【図４】本発明の給水口全閉正面図である
【図５】本発明の給水口全開正面図である
【図６】本発明の開閉板である
【図７】本発明の板発条・開閉板側面図である
【図８】本発明の板発条が反った開閉板側面図である
【図９】本発明の浮の上昇時側面図である
【図１０】本発明の浮の下降時側面図である
【考案を実施するための形態】
【０００８】本体の給水管（５）は取水側が細く給水口側が太く形成し給水口（９）の上部に鉤の引っ掛かり部（６）を設け、給水口（９）の左右の両縁に開閉板の左右の開閉板の操（１４）を挟んだ形で軌道（１１）を設けている。軌道は（１１）左右の軌道（１１）の上部を板の両先端が入り江（２１）に形成したベース板（１７）で固定され、左右の軌道（１１）の下部を板の両端側に穴（２０）を設けたベース板（１６）で固定した構成で造っており、開閉板（１１）が上下に動くため設けたものである。開閉板（４）は左右に開閉板の操（１４）を軌道（１１）に挟まり自らの重量で瞬時に軌道（１１）を下降する構成に付勢して重量に造ったものである。又、開閉板（４）の上部に対面に引っ掛かる鉤（１３）と板発状（７）を反らせ鉤（１３）を外す動力受けとなる板発条の操部（１０）を設けた、しなる性質の板発条（７）で造ったものである。枠体は対の浮（１）と浮（１）の下降の付勢となる錘（２）を重ねた構成で造られたものである。枠体（１８）の上部に水量が設定値に達すると固定開徐板兼水深決定具の操が開閉板（４）の板発条の操（１０）を押し反らせる仕組みで設けられ、又、枠体の左右内側には開閉板の操（４）部に重なり接して開閉板を押し上げる水深決定具兼開閉板押上用の操（３）を設けたものであるが。該枠体に設けたすべての操の各設定は操（３）を上下に動かし設定する構造である。枠体の立上がり部（１５）を本体（５）の軌道（１１）の左右下の元部を固定した）ベース板（１６）の左右の端の穴（２０）を貫通しさらに軌道（１１）の上の左右の軌道（１１）の元部を固定したベース板（１７）の最端の入り江（２１）を通り上に伸びた左右の部所で連結した枠体（１８）と本体（５）の構成による灌漑自動水位保持器として機能するものである。
【実施例】
【０００９】取水の給水管に本体給水管（５）を接続し給水状態にした本体給水管（５）の左右両縁に設けた軌道の下を固定したベース板（１６）の円の刳り貫きの部所の穴（２０）を貫通し軌道の上を固定したベース板（１７）の入り江の部所（２０）を通った枠体（１８）で連結した対の浮（１）と錘（２）を水田の田面に浮かべ枠体（１８）の上部固定解除板兼水深決定具の操（１２）に開閉板（４）の板発条の操（１０）が接する距離を固定解除置と最低水深置として固定解除板兼水深決定具の操（１２）で設定するだけでよい。水田の増水に伴い枠体（１８）で連結した浮（１）と錘（２）も上昇し枠体（１８）の左右の水深決定具兼開閉板押上用の操（３）が給水口（９）を開閉する開閉板（４）の一部開閉板の操（１４）と重なり給水口（９）側の給水管左右の縁の軌道（１１）に挟まり上に給水口（９）を塞ぎながら開閉板（４）は押し上げられ設定置に達すると給水口（９）が完全に閉口になり止水する。開閉板（４）の上昇中は開閉板（４）上部に鉤（１３）と操（１０）を施した板発条（７）も対面給水口（９）を反りながらすり上がり給水口（９）の上部引っ掛かり部（６）に板発条（７）の鉤（１３）が引っ掛かり開閉板（４）が固定になる給水口（９）の閉塞による減水に伴い枠体（１８）で連結した浮（１）と錘（２）が下降し続け枠体（１８）の上部の固定解除板兼水深決定具の操（１２）が設定値に達すると開閉板（４）を固定中の鉤（１３）を板発条の操部（１０）を押し下げ反らせると引っ掛かり部（６）から鉤（１３）が外れ開閉板（４）が固定解除になり開閉板（４）は解放され付勢いした自らの重量で瞬時に軌道（１１）を下降すると閉口されていた給水口（９）が開き給水する、水は設定以上入らず設定以下にも成らず長時間に及ぶ止水の後に給水する間断灌漑する灌漑自動水位保持器である。
【符号の説明】
【００１０】  １    浮  ２    錘  ３    水深決定具兼開閉板押上用の操  ４    開閉板  ５    給水管本体  ６    鉤の引っ掛かり部  ７    板発条  ８    開閉板の開口部  ９    給水管の給水口１０    板発条の操部１１    軌道１２    固定解除板兼水深決定具の操１３    鉤１４    閉開板の操１５    対の錘と浮の枠体１６    軌道の下部の固定板で浮の枠体が円の刳り貫きを貫通によって安定した形態を保つためのベース板１７    軌道の上部の固定板で浮の枠体が板の端の入り江を通ることによって安定した形態を保つためのベース板１８    対の鍾と浮を繋ぐ枠体１９    開閉板の横振れ防止具２０    穴２１    入り江２２    開閉板止２３    取水管と給水管の接点の固定締付ボルト２４    給水管口径閉塞板の固定ボルト
【手続補正３】
【補正対象書類名】図面
【補正対象項目名】図１
【補正方法】変更
【補正の内容】
【図１】
0003174387.tif 000013